(57)【要約】【課題】光学部品の搭載ずれに起因するフォーカス感度の低下やフォーカス誤差検出信号に加わるノイズを抑制し、安定した記録再生性能を維持しつつ信頼性に優れた小型の光ピックアップ装置を提供する。【解決手段】光ディスクに向けて出射されたレーザ光の光路上に配置されたホログラム部２０は第１〜第６ホログラム領域２１〜２６を有する。光ディスクのトラックのホログラム部２０の中心点（０，０）における接線をｙ軸、中心点（０，０）を通りｙ軸に直交する線をｘ軸としたときに、第２ホログラム領域２２は、座標点（−ｘａ，０）と（−ｘｂ，ｙｂ）とを結ぶ分割線Ｂ，座標点（ｘａ，０）と（ｘｂ，ｙｂ）とを結ぶ分割線Ｃ，及びｘ軸によって分割された領域である。第５のホログラム領域２５は、座標点（−ｘａ，０）と（−ｘｂ，−ｙｂ）とを結ぶ分割線Ｅ，座標点（ｘａ，０）と（ｘｂ，−ｙｂ）とを結ぶ分割線Ｄ，及びｘ軸によって分割された領域である。【選択図】図２
2010272198.tif 000002
【特許請求の範囲】
【請求項１】
光ディスクに向けてレーザ光を出射する光源と、
前記レーザ光の光路上に配置され、前記光ディスクで反射されたレーザ光を回折するホログラム部が所定の領域に形成されたホログラム素子と、
前記ホログラム部で回折されたレーザ光を受光する受光素子と、
を備え、
前記所定の領域における所定の位置を中心座標点（０，０）とし、前記中心座標点（０，０）を通る第１の線をｘ軸とし、前記中心座標点（０，０）を通り前記第１の線に直交する第２の線をｙ軸としたときに、
前記ホログラム部は、
前記所定の領域が、前記第１の線である第１の分割線と、ｘｙ座標点（−ｘａ，０）とｘｙ座標点（−ｘｂ，ｙｂ）とを結ぶ第２の分割線と、によって分割された第１のホログラム領域と、
前記所定の領域が、前記第１の分割線と、前記第２の分割線と、ｘｙ座標点（ｘａ，０）とｘｙ座標点（ｘｂ，ｙｂ）とを結ぶ第３の分割線と、によって分割された第２のホログラム領域と、
前記所定の領域が、前記第１の分割線と前記第３の分割線とによって分割された第３のホログラム領域と、
前記所定の領域が、前記第１の分割線と、ｘｙ座標点（ｘａ，０）とｘｙ座標点（ｘｂ，−ｙｂ）とを結ぶ第４の分割線と、によって分割された第４のホログラム領域と、
前記所定の領域が、前記第１の分割線と、前記第４の分割線と、ｘｙ座標点（−ｘａ，０）とｘｙ座標点（−ｘｂ，−ｙｂ）とを結ぶ第５の分割線と、によって分割された第５のホログラム領域と、
前記所定の領域が、前記第１の分割線と前記第５の分割線とによって分割された第６のホログラム領域と、
を有し、
前記ｘａ及び前記ｘｂは、ｘａ＜ｘｂの関係式を満たし、前記−ｘａ及び前記−ｘｂは、−ｘｂ＜−ｘａの関係式を満たし、
前記第２のホログラム領域及び前記第５のホログラム領域は、前記第２の線に対して所定の角度をなす非点収差が付与され、前記第１のホログラム領域，前記第３のホログラム領域，前記第４のホログラム領域，及び前記第６のホログラム領域は、前記第２の線に対して前記所定の角度とは異なる角度をなす非点収差が付与されていることを特徴とする光ピックアップ装置。
【請求項２】
前記第２の分割線から前記第５の分割線のうちの少なくともいずれかは、直線，曲線，または折れ線であることを特徴とする請求項１記載の光ピックアップ装置。
【発明の詳細な説明】
【技術分野】
【０００１】
本発明は、光ディスクに情報を記録したり光ディスクに記録されている情報を再生するための光ピックアップ装置に係り、特にホログラム素子を備えた光ピックアップ装置に関する。
【背景技術】
【０００２】
光ピックアップ装置において標準的なフォーカス誤差検出法である非点収差法と小型化及び高信頼性とを両立するための手段として、ホログラム素子による非点収差法を用いた光ピックアップ装置が例えば特許文献１に開示されている。
【０００３】
また、ＣＤとＤＶＤのように情報記録密度の異なる２種類の光ディスクに対応するための、互いに発振波長の異なる２つのレーザ光源を有する光ピックアップ装置がある。２つのレーザ光源を有する光ピックアップ装置では、対物レンズの光軸上に２つのレーザ光源を一度に配置することが難しいため、発振波長がＣＤよりも短波長である高記録密度の光ディスクであるＤＶＤ用のレーザ光源を対物レンズの光軸上に配置し、ＣＤ用のレーザ光源をＤＶＤ用のレーザ光源の近傍に配置することが一般的である。
【０００４】
また、２層ＤＶＤのように２層の情報記録層を有する光ディスクの記録再生を行う光ピックアップ装置がある。
【先行技術文献】
【特許文献】
【０００５】
【特許文献１】特開２００７−１６４９５７号公報
【発明の概要】
【発明が解決しようとする課題】
【０００６】
ここで、特許文献１に開示されているようなホログラム素子による非点収差法を用いた光ピックアップ装置において、２つのレーザ光源を備えた場合、及び２層の情報記録層を有する光ディスクの再生を行う場合のそれぞれの問題点について、図７〜図９を用いて説明する。
【０００７】
図７は、従来の光ピックアップ装置と、対物レンズ及び光ディスクとの位置関係を模式的に示す断面図であり、図７（ａ）は例えばＤＶＤを再生する場合、図７（ｂ）は例えばＣＤを再生する場合、図７（ｃ）は例えば２層ＤＶＤにおけるレーザ光源に近い側の情報記録層を再生する場合をそれぞれ示している。
図８は、従来の光ピックアップ装置におけるホログラム部の平面図であり、図８（ａ）は例えばＤＶＤ再生においてＤＶＤからの戻り光がホログラム部に照射された状態を示し、図８（ｂ）は例えばＣＤ再生においてＣＤからの戻り光がホログラム部に照射された状態を示し、図８（ｃ）は例えば２層ＤＶＤにおけるレーザ光源に近い側の情報記録層の再生において２層ＤＶＤからの戻り光がホログラム部に照射された状態を示すものである。
図９は、従来の光ピックアップ装置における受光部の平面図であり、図９（ａ）は例えばＤＶＤ再生においてＤＶＤからの戻り光がホログラム部で回折されて受光部に照射された状態を示し、図９（ｂ）は例えばＣＤ再生においてＣＤからの戻り光がホログラム部で回折されて受光部に照射された状態を示し、図９（ｃ）は例えば２層ＤＶＤにおけるレーザ光源に近い側の情報記録層の再生において２層ＤＶＤにおけるレーザ光源から遠い側の情報記録層からの戻り光がホログラム部で回折されて受光部に照射された状態を示すものである。
【０００８】
図７に示すように、光ピックアップ装置１００は、例えばＤＶＤ用のレーザ光源１０１と、ＣＤ用のレーザ光源１０２と、ホログラム部１２０を有するホログラム素子１０３と、コリメータレンズ１０４と、受光部１３０を有する受光素子１０５と、を備えている。
ＤＶＤ用のレーザ光源１０１は、対物レンズ２００の光軸上に配置されており、ＣＤ用のレーザ光源１０２はＤＶＤ用のレーザ光源１０１の近傍に配置されている。ＤＶＤ用のレーザ光源１０１の発光点とＣＤ用のレーザ光源１０２の発光点との距離は、各レーザ光源１０１，１０２の構造上１００μｍ以上になる。
図８に示すように、ホログラム部１２０は６つのホログラム領域１２１〜１２６を有する。なお、図８では光ディスクＤ１〜Ｄ３のトラックを二点鎖線で模式的に示している。
図９に示すように、受光部１３０は４つの受光領域１３１〜１３４を有する。
【０００９】
まず、２つのレーザ光源を備えた場合の従来の問題点について説明する。
【００１０】
ＤＶＤ｛図７（ａ）におけるＤ１｝の再生を行う場合、ＤＶＤ用のレーザ光源１０１は対物レンズ２００の光軸上に配置されているため、図８（ａ）に示すように、光ディスクＤ１からの戻り光Ｌｂ１０１のホログラム部１２０上における光束Ｌｂ１１１は、ホログラム部１２０の中心部に位置する。
戻り光Ｌｂ１０１は、さらにホログラム部１２０の６つのホログラム領域１２１〜１２６毎に回折されて受光部１３０に到達する。図９（ａ）に示すスポット１４１〜１４６は、各ホログラム領域１２１〜１２６で回折された戻り光Ｌｂ１０１が受光部１３０に照射される領域であり、スポット１４１〜１４６とホログラム領域１２１〜１２６とはそれぞれ対応するものである。
【００１１】
一方、ＣＤ｛図７（ｂ）におけるＤ２｝の再生を行う場合、ＣＤ用のレーザ光源１０２は対物レンズ２００の光軸から離れた位置に配置されているため、図８（ｂ）に示すように、光ディスクＤ２からの戻り光Ｌｂ１０２のホログラム部１２０上における光束Ｌｂ１１２は、ホログラム部１２０の中心部からずれる。このとき、光束Ｌｂ１１２の中心ＯＬｂ１１２はホログラム領域１２２及び１２５とは異なった領域に位置する。
戻り光Ｌｂ１０２は、さらにホログラム部１２０の６つのホログラム領域１２１〜１２６毎に回折されて受光部１３０に到達する。図９（ｂ）に示すスポット１５１〜１５６は、各ホログラム領域１２１〜１２６で回折された戻り光Ｌｂ１０２が受光部１３０に照射される領域であり、スポット１５１〜１５６とホログラム領域１２１〜１２６とはそれぞれ対応するものである。
【００１２】
図９（ａ）及び（ｂ）に示すように、ＣＤ再生の場合はＤＶＤ再生の場合に比べて受光領域１３１，１３２におけるスポット１５５，１５２の面積が小さくなる。スポットの面積はその受光領域１３１，１３２における戻り光Ｌｂ１０２の受光量に相当するので、スポット１５５，１５２の面積が小さい受光領域１３１，１３２では受光量が減少するため、受光素子１０５としてのＣＤ再生におけるフォーカス誤差検出感度が悪化する。
【００１３】
ところで、光ピックアップ装置を製造する過程で各光学部品の実装位置のばらつきにより、受光部１３０におけるスポットの位置が光ピックアップ装置毎にばらつく。
図９（ａ）の破線部は、ＤＶＤ再生の場合に各光学部品の実装位置のばらつきによってスポット１４５及び１４２がずれた状態を模式的に示すものである。また、図９（ｂ）の破線部は、ＣＤ再生の場合に各光学部品の実装位置のばらつきによってスポット１５５及び１５２がずれた状態を模式的に示すものである。
【００１４】
図９（ａ）に示すように、ＤＶＤ再生の場合、スポット１４５，１４２が破線で示す位置にずれた場合、受光領域の分割線ｘ１３０とスポット１４５，１４２との重なり長さが小さくなるため、上述した理由と同様の理由により、受光素子１０５としてのフォーカス誤差検出感度が悪化する。
【００１５】
また、図９（ｂ）に示すように、ＣＤ再生の場合、スポット１５５，１５２が破線で示す位置にずれた場合、受光領域の分割線ｘ１３０におけるスポット１５５，１５２の重なり長さがＤＶＤ再生の場合の受光領域の分割線ｘ１３０におけるスポット１４５，１４２の重なり長さよりもさらに小さくなるため、上述した理由と同様の理由により、受光素子１０５としてのフォーカス誤差検出感度がさらに悪化する。
【００１６】
フォーカス誤差検出感度が悪化すると、記録再生時における光ディスクの面ぶれに対する対物レンズの追従に遅れが生じ、記録再生信号のジッター劣化やトラッキングエラーが発生する場合があり、その改善が望まれている。
【００１７】
次に、２層ＤＶＤ等の２層の情報記録層を有する光ディスクを再生する場合の従来の問題点について説明する。
【００１８】
図７（ｃ）に示すように、光ピックアップ装置１００で再生される２層ＤＶＤ等の光ディスクＤ３は、２層の情報記録層ｄ３ａ，ｄ３ｂを有している。
光ピックアップ装置１００に近い側の情報記録層ｄ３ａの再生を行う場合、図８（ｃ）に示すように、光ディスクＤ３における情報記録層ｄ３ａからの戻り光Ｌｂ１０３のホログラム部１２０上における光束Ｌｂ１１３は、ホログラム部１２０の中心部である、フォーカス誤差検出用に非点収差を付与した領域に位置する。
このとき、再生しない側の情報記録層ｄ３ｂからの反射光Ｌｂ１０４もホログラム部１２０に照射される。この再生しない側の情報記録層ｄ３ｂからの反射光Ｌｂ１０４は不要光である。図９（ｃ）では、反射光Ｌｂ１０４のホログラム部１２０上における光束をＬｂ１１４として示している。
この反射光Ｌｂ１０４は、ホログラム部１２０の６つのホログラム領域１２１〜１２６毎に回折されて受光部１３０に到達する。図９（ｃ）に示すスポット１６１〜１６６は、各ホログラム領域１２１〜１２６で回折された反射光Ｌｂ１０４が受光部１３０及びその近傍に照射される領域であり、スポット１６１〜１６６とホログラム領域１２１〜１２６とはそれぞれ対応するものである。
【００１９】
反射光Ｌｂ１０３と不要光である反射光Ｌｂ１０４とがホログラム領域１２１〜１２６に照射されている状態で例えばトラッキングを行うと、図８（ｃ）の破線で示すように、反射光（不要光）Ｌｂ１０４が分割線Ａ１２０及びＢ１２０を横切って移動するため、合焦ずれが生じて図９（ｃ）に示すようなスポット１６１〜１６６の分布になる。
図９（ｃ）に示すように、受光部１３０の各受光領域１３１〜１３４におけるスポット１６１〜１６６の面積の和、即ち各受光領域１３１〜１３４におけるスポット１６１〜１６６の受光量の和が受光領域１３１〜１３４ごとに異なる。不要光である反射光Ｌｂ１０４の受光量が受光領域１３１〜１３４ごとに異なるため、受光領域１３１〜１３４の受光感度に与える反射光（不要光）Ｌｂ１０４の影響が受光領域１３１〜１３４ごとに異なる。その結果、受光素子１０５としてのフォーカス誤差検出信号にノイズが加わり、合焦ずれの状態で記録再生することになる。この結果、記録再生信号のジッター劣化が発生するため、その改善が望まれている。
【００２０】
そこで、本発明は上記課題に鑑みてなされたものであり、本発明の目的は、従来よりも、各種光学部品の搭載ずれに起因する、フォーカス感度の低下やフォーカス誤差検出信号に加わるノイズを抑制し、安定した記録再生性能を維持することができる光ピックアップ装置を提供することにある。
【課題を解決するための手段】
【００２１】
上記の課題を解決するために、本発明は次の光ピックアップ装置を提供する。
１）光ディスク（Ｄ１〜Ｄ３）に向けてレーザ光を出射する光源（１，２）と、前記レーザ光の光路上に配置され、前記光ディスクで反射されたレーザ光（Ｌｂ１〜Ｌｂ３）を回折するホログラム部（２０）が所定の領域に形成されたホログラム素子（３）と、前記ホログラム部で回折されたレーザ光を受光する受光素子（５）と、を備え、前記所定の領域における所定の位置を中心座標点（０，０）とし、前記中心座標点（０，０）を通る第１の線をｘ軸とし、前記中心座標点（０，０）を通り前記第１の線に直交する第２の線をｙ軸としたときに、前記ホログラム部は、前記所定の領域が、前記第１の線である第１の分割線（Ａ）と、ｘｙ座標点（−ｘａ，０）とｘｙ座標点（−ｘｂ，ｙｂ）とを結ぶ第２の分割線（Ｂ）と、によって分割された第１のホログラム領域（２１）と、前記所定の領域が、前記第１の分割線と、前記第２の分割線と、ｘｙ座標点（ｘａ，０）とｘｙ座標点（ｘｂ，ｙｂ）とを結ぶ第３の分割線（Ｃ）と、によって分割された第２のホログラム領域（２２）と、前記所定の領域が、前記第１の分割線と前記第３の分割線とによって分割された第３のホログラム領域（２３）と、前記所定の領域が、前記第１の分割線と、ｘｙ座標点（ｘａ，０）とｘｙ座標点（ｘｂ，−ｙｂ）とを結ぶ第４の分割線（Ｄ）と、によって分割された第４のホログラム領域（２４）と、前記所定の領域が、前記第１の分割線と、前記第４の分割線と、ｘｙ座標点（−ｘａ，０）とｘｙ座標点（−ｘｂ，−ｙｂ）とを結ぶ第５の分割線（Ｅ）と、によって分割された第５のホログラム領域（２５）と、前記所定の領域が、前記第１の分割線と前記第５の分割線とによって分割された第６のホログラム領域（２６）と、を有し、前記ｘａ及び前記ｘｂは、ｘａ＜ｘｂの関係式を満たし、前記−ｘａ及び前記−ｘｂは、−ｘｂ＜−ｘａの関係式を満たし、前記第２のホログラム領域及び前記第５のホログラム領域は、前記第２の線に対して所定の角度をなす非点収差が付与され、前記第１のホログラム領域，前記第３のホログラム領域，前記第４のホログラム領域，及び前記第６のホログラム領域は、前記第２の線に対して前記所定の角度とは異なる角度をなす非点収差が付与されていることを特徴とする光ピックアップ装置（９０）。
２）前記第２の分割線から前記第５の分割線のうちの少なくともいずれかは、直線，曲線，または折れ線であることを特徴とする１）記載の光ピックアップ装置。
【発明の効果】
【００２２】
本発明によれば、従来よりも各種光学部品の搭載ずれに起因する、フォーカス感度の低下やフォーカス誤差検出信号に加わるノイズを抑制し、安定した記録再生性能を維持しつつ、信頼性に優れた小型の光ピックアップ装置を実現することができる。
【図面の簡単な説明】
【００２３】
【図１】本発明に係る光ピックアップ装置の実施例と、対物レンズ及び光ディスクとの位置関係を示す模式的断面図である。
【図２】本発明に係る光ピックアップ装置の実施例におけるホログラム部の平面図である。
【図３】光ディスクからの戻り光がホログラム部に照射された状態を示す平面図である。
【図４】本発明に係る光ピックアップ装置の実施例における受光部の平面図である。
【図５】実施例の第１変形例の光ピックアップ装置におけるホログラム部の平面図である。
【図６】実施例の第２変形例の光ピックアップ装置におけるホログラム部の平面図である。
【図７】従来の光ピックアップ装置と、対物レンズ及び光ディスクとの位置関係を示す模式的断面図である。
【図８】光ディスクからの戻り光がホログラム部に照射された状態を示す平面図である。
【図９】従来の光ピックアップ装置における受光部の平面図である。
【発明を実施するための形態】
【００２４】
本発明の実施の形態を、好ましい実施例により図１〜図６を用いて説明する。
【００２５】
＜実施例＞
図１は、本発明に係る光ピックアップ装置の実施例と、対物レンズ及び光ディスクとの位置関係を示す模式的断面図であり、図１（ａ）は例えばＤＶＤを再生する場合、図１（ｂ）は例えばＣＤを再生する場合、図１（ｃ）は例えば２層ＤＶＤを再生する場合をそれぞれ示すものであり、図１（ａ），（ｂ），及び（ｃ）は前述した図７（ａ），（ｂ），及び（ｃ）にそれぞれ対応するものである。
図２は、本発明に係る光ピックアップ装置の実施例におけるホログラム部の平面図である。
図３（ａ）は例えばＤＶＤ再生においてＤＶＤからの戻り光がホログラム部に照射された状態を示し、図３（ｂ）は例えばＣＤ再生においてＣＤからの戻り光がホログラム部に照射された状態を示し、図３（ｃ）は例えば２層ＤＶＤ再生において２層ＤＶＤからの戻り光がホログラム部に照射された状態を示すものであり、図３（ａ），（ｂ），及び（ｃ）は前述した図８（ａ），（ｂ），及び（ｃ）にそれぞれ対応するものである。
図４は、本発明に係る光ピックアップ装置の実施例における受光部の平面図であり、図４（ａ）は例えばＤＶＤ再生においてＤＶＤからの戻り光がホログラム部で回折されて受光部に照射された状態を示し、図４（ｂ）は例えばＣＤ再生においてＣＤからの戻り光がホログラム部で回折されて受光部に照射された状態を示し、図４（ｃ）は例えば２層ＤＶＤ再生において２層ＤＶＤからの戻り光がホログラム部で回折されて受光部に照射された状態を示すものであり、図４（ａ），（ｂ），及び（ｃ）は前述した図９（ａ），（ｂ），及び（ｃ）にそれぞれ対応するものである。
【００２６】
図１に示すように、破線部で模式的に示す光ピックアップ装置９０は、発振波長が互いに異なる２つのレーザ光源１，２と、ホログラム部２０を有するホログラム素子３と、コリメータレンズ４と、受光部３０を有する受光素子５と、を備えている。
例えば、図１（ａ）に示すＤ１は所定の情報記録密度を有する光ディスク（例えばＤＶＤ）であり、図１（ｂ）に示すＤ２は光ディスクＤ１よりも情報記録密度が低い光ディスク（例えばＣＤ）であり、図１（ｃ）に示すＤ３は２層の情報記録層を有する光ディスク（例えば２層ＤＶＤ）である。
そして、レーザ光源１は、所定の発振波長を有するレーザ光源（例えばＤＶＤ用のレーザ光源）であり、対物レンズ２００の光軸上に配置されている。
レーザ光源２は、レーザ光源１よりも発振波長が短いレーザ光源（例えばＣＤ用のレーザ光源）であり、レーザ光源１の近傍に対物レンズ２００の光軸とは離間して配置されている。
レーザ光源１の発光点とレーザ光源２の発光点との距離は、各レーザ光源１，２の構造上１００μｍ以上になる。
【００２７】
実施例では、検出光学系の横倍率を６倍とし、レーザ光源１の発光点からホログラム部の中心点までの距離を２．６ｍｍとし、レーザ光源１の発光点とレーザ光源２の発光点との距離を０．１１ｍｍとした。
【００２８】
ここで、ホログラム素子３のホログラム部２０について、図２を用いて詳細に説明する。
図２に示すように、ホログラム部２０をｘ−ｙ座標で表すと、ホログラム部２０は、（−ｘｂ，ｙｂ）、（ｘｂ，ｙｂ）、（ｘｂ，−ｙｂ）、及び（−ｘｂ，−ｙｂ）の４つの座標点を結ぶ線で囲まれた領域で表すことができる。なお、図２では光ディスクＤ１〜Ｄ３（図１参照）のトラックを二点鎖線で模式的に示しており、ｙ軸は光ディスクＤ１〜Ｄ３のトラックの座標点（０，０）における接線に相当する。
【００２９】
また、ホログラム部２０は、６つのホログラム領域２１〜２６を有している。
ホログラム領域２１は、座標点（０，０）を通りｙ軸に直交する分割線Ａ（ｘ軸に相当する）と、座標点（−ｘａ，ｙａ）を通り座標点（−ｘａ，０）と座標点（−ｘｂ，ｙｂ）とを結ぶ分割線Ｂと、によって分割された領域である。
ホログラム領域２２は、分割線Ａと、分割線Ｂと、座標点（ｘａ，ｙａ）を通り座標点（ｘａ，０）と座標点（ｘｂ，ｙｂ）とを結ぶ分割線Ｃと、によって分割された領域である。
ホログラム領域２３は分割線Ａと分割線Ｃとによって分割された領域である。
ホログラム領域２４は、分割線Ａと、座標点（ｘａ，−ｙａ）を通り座標点（ｘａ，０）と座標点（ｘｂ，−ｙｂ）とを結ぶ分割線Ｄと、によって分割された領域である。
ホログラム領域２５は、分割線Ａと、分割線Ｄと、座標点（−ｘａ，−ｙａ）を通り座標点（−ｘａ，０）と座標点（−ｘｂ，−ｙｂ）とを結ぶ分割線Ｅと、によって分割された領域である。
ホログラム領域２６は分割線Ａと分割線Ｅとによって分割された領域である。
ここで、ｘａ及びｘｂは、ｘａ＜ｘｂの関係式を満たし、−ｘａ及び−ｘｂは、−ｘｂ＜−ｘａの関係式を満たし、ｙａ及びｙｂは、ｙａ＜ｙｂの関係式を満たし、−ｙａ及び−ｙｂは、−ｙｂ＜−ｙａの関係式を満たす。実施例では、ｘａ＝０．１５ｍｍ、ｘｂ＝０．５ｍｍ、−ｘａ＝−０．１５ｍｍ、−ｘｂ＝−０．５ｍｍ、ｙａ＝０．１５ｍｍ、ｙｂ＝０．５ｍｍ、−ｙａ＝−０．１５ｍｍ、−ｙｂ＝−０．５ｍｍとした。
【００３０】
ホログラム領域２２及び２５は、光ディスクＤ１〜Ｄ３のトラックの座標点（０，０）における接線（ｙ軸）に対して略４５度の角度をなす非点収差が付与され、他のホログラム領域２１，２３，２４，及び２６は、光ディスクＤ１〜Ｄ３のトラックの座標点（０，０）における接線（ｙ軸）に対して略９０度の角度をなす非点収差が付与されており、これらホログラム領域２１〜２６は光ディスクＤ１〜Ｄ３からの戻り光Ｌｂ１〜Ｌｂ３を上記接線と略直交する方向に回折する。
【００３１】
次に、図１（ａ）〜（ｃ）に示すように、光ディスクＤ１（例えばＤＶＤ）を再生する場合、光ディスクＤ２（例えばＣＤ）を再生する場合、及び光ディスクＤ３（例えば２層ＤＶＤ）を再生する場合について、図３及び図４を用いて説明する。なお、図３及び図４の（ａ），（ｂ），及び（ｃ）は図１の（ａ），（ｂ），及び（ｃ）にそれぞれ対応するものであり、前述した図８及び図９の（ａ），（ｂ），及び（ｃ）にそれぞれ対応するものである。
【００３２】
ここで、受光素子５の受光部３０について説明する。
受光部３０は、ホログラム領域２２及び２５によって非点収差を付与された戻り光Ｌｂ１〜Ｌｂ３に対応するそれぞれ２つの焦線の間で戻り光Ｌｂ１〜Ｌｂ３をそれぞれ受光するように配置されており、ホログラム領域２１〜２６でそれぞれ回折された回折光（戻り光Ｌｂ１〜Ｌｂ３）を回折する方向と略同じ方向の分割線により、少なくとも２つの領域に分割された受光領域で受光するように構成されている。
図４に示すように、実施例では、受光部３０は、分割線ｘ３０とこの分割線ｘ３０に直交する分割線ｙ３０とによって分割された４つの受光領域３１〜３４を有し、後述するスポット４５，４２及び５５，５２が分割線ｘ３０でそれぞれ分割されるように配置されている。
【００３３】
光ディスクＤ１｛図１（ａ）参照｝を再生する場合、光ディスクＤ１を再生するためのレーザ光源１は対物レンズ２００の光軸上に配置されているため、図３（ａ）に示すように、光ディスクＤ１からの戻り光Ｌｂ１のホログラム部２０上における光束Ｌｂ１１は、ホログラム部２０の中心部に位置する。
戻り光Ｌｂ１は、さらにホログラム部２０の６つのホログラム領域２１〜２６毎に回折されて受光部３０に到達する。図４（ａ）に示すスポット４１〜４６は、各ホログラム領域２１〜２６で回折された戻り光Ｌｂ１が受光部３０に照射される領域であり、スポット４１〜４６とホログラム領域２１〜２６とはそれぞれ対応するものである。
【００３４】
ところで、前述したように光ピックアップ装置を製造する過程で発生する各光学部品の実装位置のばらつきにより受光部３０における戻り光Ｌｂ１，Ｌｂ２の照射位置が光ピックアップ装置毎にばらつく。
図４（ａ）の破線部は、光ディスクＤ１を再生する場合に各光学部品の実装位置のばらつきによってスポット４５及び４２がずれた状態を模式的に示すものである。
図４（ａ）に示すように、光ディスクＤ１の再生において、スポット４５，４２が破線で示す位置にずれた場合でも、スポット４５，４２と分割線ｘ３０と重なる長さは変化しないため、従来｛図９（ａ）の破線部参照｝よりも受光素子５としての光ディスクＤ１に対するフォーカス誤差検出感度が、上述した光学部品の実装位置のばらつき（搭載ずれ）の影響を受けにくくなる。
【００３５】
光ディスクＤ２｛図１（ｂ）参照｝を再生する場合、光ディスクＤ２を再生するためのレーザ光源２は対物レンズ２００の光軸上とは離間して配置されているため、図３（ｂ）に示すように、光ディスクＤ２からの戻り光Ｌｂ２のホログラム部２０上における光束Ｌｂ１２は、ホログラム部２０の中心部からずれる。このとき、光束Ｌｂ１２の中心ＯＬｂ１２は、ホログラム部２２、ホログラム部２５、及びホログラム部２２とホログラム部２５との境界線上のいずれかに位置している。
戻り光Ｌｂ２は、さらにホログラム部２０の６つのホログラム領域２１〜２６毎に回折されて受光部３０に到達する。図４（ｂ）に示すスポット５１〜５６は、各ホログラム領域２１〜２６で回折された戻り光Ｌｂ２が受光部３０に照射される領域であり、スポット５１〜５６とホログラム領域２１〜２６とはそれぞれ対応するものである。
【００３６】
図４（ａ）及び（ｂ）に示すように、光ディスクＤ２を再生する場合は光ディスクＤ１を再生する場合に比べて受光領域３１，３２におけるスポット５５，５２の面積が小さくなるものの、従来｛図９（ｂ）参照｝に比べて受光領域３１，３２におけるスポット５５，５２の面積が大きくなる。この面積はその受光領域における戻り光Ｌｂ２の受光量に相当するので、スポット５５，５２の面積が従来よりも大きくなることにより受光領域３１，３２の受光感度が向上するため、受光素子５としての光ディスクＤ２に対するフォーカス誤差検出感度が従来よりも改善する。
【００３７】
ところで、前述したように、光ピックアップ装置を製造する過程で生じる各光学部品の実装位置のばらつきにより、受光部３０における戻り光Ｌｂ１，Ｌｂ２の照射位置が光ピックアップ装置毎にばらつく。
図４（ｂ）の破線部は、光ディスクＤ２を再生する場合に各光学部品の実装位置のばらつきによってスポット５５及び５２がずれた状態を模式的に示すものである。
図４（ｂ）に示すように、光ディスクＤ２の再生において、スポット５５，５２が破線で示す位置にずれた場合、受光領域３１，３２におけるスポット５５，５２の面積がさらに小さくなるものの、スポット５５，５２と分割線ｘ３０との重なり長さは変化しないので、上述した理由と同様の理由により、従来よりも受光素子５としての光ディスクＤ２に対するフォーカス誤差検出感度が上述した光学部品の実装位置のばらつき（搭載ずれ）の影響を受けにくくなる。
【００３８】
フォーカス誤差検出感度は記録再生時における光ディスクの面ぶれに対する許容度に影響するため、フォーカス誤差検出感度が向上することにより、記録再生信号の悪化、例えばジッターの悪化やトラッキングエラーの発生を抑制することができる。
【００３９】
図１（ｃ）に示すように、光ピックアップ装置９０で再生される光ディスクＤ３は２層の情報記録層ｄ３ａ，ｄ３ｂを有している。
光ピックアップ装置９０に近い側の情報記録層ｄ３ａの再生を行う場合、図３（ｃ）に示すように、光ディスクＤ３からの戻り光Ｌｂ３のホログラム部２０上における光束Ｌｂ１３は、ホログラム部２０の中心部に位置する。
このとき、再生しない側の情報記録層ｄ３ｂからの反射光Ｌｂ４もホログラム部２０に照射される。この再生しない側の情報記録層ｄ３ｂからの反射光Ｌｂ４は不要光である。図３（ｃ）では、反射光Ｌｂ４のホログラム部２０上における光束をＬｂ１４として示している。
例えば、戻り光Ｌｂ３のホログラム部２０上における光束Ｌｂ１３の直径は約０．５ｍｍであり、反射光Ｌｂ４のホログラム部２０上における光束Ｌｂ１４の直径は０．１ｍｍ以下である。
不要光である反射光Ｌｂ４のホログラム部２０上における光束Ｌｂ１４は、ホログラム部２０の２つのホログラム領域２２及び２５のみに照射されるので、反射光Ｌｂ４はこれら２つのホログラム領域２２及び２５で回折されて受光部３０に到達する。図４（ｃ）に示すスポット６２及び６５は、２つのホログラム領域２２及び２５で回折された反射光Ｌｂ４が受光部３０及びその近傍に照射される領域であり、スポット６２及び６５とホログラム領域２２及び２５とはそれぞれ対応するものである。
【００４０】
ところで、一般的に、フォーカスのずれ量は、互いに対角の位置関係にある、受光領域３１及び３３の受光量の和と受光領域３２及び３４の受光量の和との差分を算出して導き出す。
従来は、図９（ｃ）に示すように、各受光領域１６１〜１６６におけるスポット１６１〜１６６の受光量の和が受光領域１６１〜１６６ごとに異なっていたため、反射光（不要光）Ｌｂ１０４の影響によって正しいフォーカスのずれ量を導き出すことが困難であった。
それに対して、本発明では、図４（ｃ）に示すように、例えば、スポット６２は受光領域３３及び３４に照射され、スポット６５は受光領域３１及び３２に照射されるため、互いに対角の位置関係にある、受光領域３１及び３３の受光量の和と受光領域３２及び３４の受光量の和とが同じになるので、反射光（不要光）Ｌｂ４の影響が相殺されて正しいフォーカスのずれ量を導き出すことができる。
従って、従来と比較してフォーカスのずれによる再生信号の劣化を抑制することができる。
【００４１】
また、反射光Ｌｂ３と不要光である反射光Ｌｂ４とがホログラム部２０に照射されている状態で例えばトラッキングを行うと、図３（ｃ）の破線で示すように、反射光（不要光）Ｌｂ４が２つのホログラム領域２２及び２５内のみを移動するため、上述した従来のような合焦ずれが生じない。
【００４２】
本発明の実施例は、上述した構成及び手順に限定されるものではなく、本発明の要旨を逸脱しない範囲において変形例としてもよいのは言うまでもない。
【００４３】
ここで、上述した実施例の第１変形例について図５を用いて説明する。
図５は、本発明に係る光ピックアップ装置の実施例の第１変形例を説明するための平面図であり、前述した図２に対応するものである。
【００４４】
＜第１変形例＞
第１変形例は、実施例の光ピックアップ装置９０に対してホログラム部における６つのホログラム領域の形状が異なり、他の構成部については実施例と同じなのでその説明を省略する。なお、説明をわかりやすくするために実施例と同じ部位には同じ符号を付す。
【００４５】
図５に示すように、ホログラム部７０をｘ−ｙ座標で表すと、ホログラム部７０は、（−ｘｂ，ｙｂ）、（ｘｂ，ｙｂ）、（ｘｂ，−ｙｂ）、及び（−ｘｂ，−ｙｂ）の４つの座標点を結ぶ線で囲まれた領域で表すことができる。なお、図５では光ディスクＤ１〜Ｄ３（図１参照）のトラックを二点鎖線で模式的に示しており、ｙ軸は光ディスクＤ１〜Ｄ３のトラックの座標点（０，０）における接線に相当する。
【００４６】
また、ホログラム部７０は、６つのホログラム領域７１〜７６を有している。
ホログラム領域７１は、座標点（０，０）を通りｙ軸に直交する分割線Ａ（ｘ軸に相当する）と、座標点（−ｘａ，０）と座標点（−ｘｃ，ｙｂ）とを結ぶ分割線Ｆと、によって分割された領域である。
ホログラム領域７２は、分割線Ａと、分割線Ｆと、座標点（ｘａ，０）と座標点（ｘｃ，ｙｂ）とを結ぶ分割線Ｇと、によって分割された領域である。
ホログラム領域７３は分割線Ａと分割線Ｇとによって分割された領域である。
ホログラム領域７４は、分割線Ａと、座標点（ｘａ，０）と座標点（ｘｃ，−ｙｂ）とを結ぶ分割線Ｈと、によって分割された領域である。
ホログラム領域７５は、分割線Ａと、分割線Ｈと、座標点（−ｘａ，０）と座標点（−ｘｃ，−ｙｂ）とを結ぶ分割線Ｊと、によって分割された領域である。
ホログラム領域７６は分割線Ａと分割線Ｊとによって分割された領域である。
ここで、ｘａ，ｘｂ，及びｘｃは、ｘａ＜ｘｃ＜ｘｂの関係式を満たし、−ｘａ，−ｘｂ，及び−ｘｃは、−ｘｂ＜−ｘｃ＜−ｘａの関係式を満たす。第１変形例では、ｘａ＝０．１５ｍｍ、ｘｂ＝０．５ｍｍ、ｘｃ＝０．３ｍｍ、−ｘａ＝−０．１５ｍｍ、−ｘｂ＝−０．５ｍｍ、−ｘｃ＝−０．３ｍｍ、ｙｂ＝０．５ｍｍ、−ｙｂ＝−０．５ｍｍとした。
【００４７】
ホログラム領域７２及び７５は、光ディスクＤ１〜Ｄ３のトラックの座標点（０，０）における接線（ｙ軸）に対して略４５度の角度をなす非点収差が付与され、他のホログラム領域７１，７３，７４，及び７６は、光ディスクＤ１〜Ｄ３のトラックの座標点（０，０）における接線（ｙ軸）に対して略９０度の角度をなす非点収差が付与されており、これらホログラム領域７１〜７６は光ディスクＤ１〜Ｄ３からの戻り光Ｌｂ１〜Ｌｂ３を上記接線と直交する方向に回折する。
【００４８】
次に、上述した実施例の第２変形例について図６を用いて説明する。
図６は、本発明に係る光ピックアップ装置の実施例の第２変形例を説明するための平面図であり、前述した図２に対応するものである。
【００４９】
＜第２変形例＞
第２変形例は、実施例の光ピックアップ装置９０に対してホログラム部の６つのホログラム領域の形状が異なり、他の構成部については実施例と同じなのでその説明を省略する。なお、説明をわかりやすくするために実施例と同じ部位には同じ符号を付す。
【００５０】
図６に示すように、ホログラム部８０をｘ−ｙ座標で表すと、ホログラム部８０は、（−ｘｂ，ｙｂ）、（ｘｂ，ｙｂ）、（ｘｂ，−ｙｂ）、及び（−ｘｂ，−ｙｂ）の４つの座標点を結ぶ線で囲まれた領域で表すことができる。なお、図６では光ディスクＤ１〜Ｄ３（図１参照）のトラックを二点鎖線で模式的に示しており、ｙ軸は光ディスクＤ１〜Ｄ３のトラックの座標点（０，０）における接線に相当する。
【００５１】
また、ホログラム部８０は、６つのホログラム領域８１〜８６を有している。
ホログラム領域８１は、座標点（０，０）を通りｙ軸に直交する分割線Ａ（ｘ軸に相当する）と、座標点（−ｘａ，０）と座標点（−ｘｄ，ｙｂ）とを結ぶ分割曲線Ｋと、によって分割された領域である。
ホログラム領域８２は、分割線Ａと、分割線Ｋと、座標点（ｘａ，０）と座標点（ｘｄ，ｙｂ）とを結ぶ分割曲線Ｍと、によって分割された領域である。
ホログラム領域８３は分割線Ａと分割線Ｍとによって分割された領域である。
ホログラム領域８４は、分割線Ａと、座標点（ｘａ，０）と座標点（ｘｄ，−ｙｂ）とを結ぶ分割曲線Ｎと、によって分割された領域である。
ホログラム領域８５は、分割線Ａと、分割線Ｎと、座標点（−ｘａ，０）と座標点（−ｘｄ，−ｙｂ）とを結ぶ分割線Ｐと、によって分割された領域である。
ホログラム領域８６は分割線Ａと分割線Ｐとによって分割された領域である。
ここで、ｘａ，ｘｂ，及びｘｄは、ｘａ＜ｘｄ＜ｘｂの関係式を満たし、−ｘａ，−ｘｂ，及び−ｘｄは、−ｘｂ＜−ｘｄ＜−ｘａの関係式を満たす。第２変形例では、ｘａ＝０．１５ｍｍ、ｘｂ＝０．５ｍｍ、ｘｄ＝０．３ｍｍ、−ｘａ＝−０．１５ｍｍ、−ｘｂ＝−０．５ｍｍ、−ｘｄ＝−０．３ｍｍ、ｙｂ＝０．５ｍｍ、−ｙｂ＝−０．５ｍｍとした。
【００５２】
ホログラム領域８２及び８５は、光ディスクＤ１〜Ｄ３のトラックの座標点（０，０）における接線（ｙ軸）に対して略４５度の角度をなす非点収差が付与され、他のホログラム領域８１，８３，８４，及び８６は、光ディスクＤ１〜Ｄ３のトラックの座標点（０，０）における接線（ｙ軸）に対して略９０度の角度をなす非点収差が付与されており、これらホログラム領域８１〜８６は光ディスクＤ１〜Ｄ３からの戻り光Ｌｂ１〜Ｌｂ３を上記接線と直交する方向に回折する。
【符号の説明】
【００５３】
１，２  レーザ光源
３  ホログラム素子
４  コリメータレンズ
５  受光素子
２０  ホログラム部
２１〜２６  ホログラム領域
３０  受光部
３１〜３４  受光領域
【図１】
2010272198.tif 000003
【図２】
2010272198.tif 000004
【図３】
2010272198.tif 000005
【図４】
2010272198.tif 000006
【図５】
2010272198.tif 000007
【図６】
2010272198.tif 000008
【図７】
2010272198.tif 000009
【図８】
2010272198.tif 000010
【図９】
2010272198.tif 000011